(57)【要約】      （修正有）【課題】テンション式の防煙たれ壁においてコーナー部を構成するように配置される防煙シートにシワや撓みが生じる事態を効果的に防止できるとともに、施工性を効果的に向上させることができる構成を提供すること。【解決手段】防煙たれ壁１は、張力が付与される防煙シート２５によって構成される第１防煙壁１１と、四方をパネル上枠、防煙壁側縦枠６２、連結側縦枠６３及びパネル下枠６４に囲まれる面材としてのパネル防煙シート６５を有し、第１防煙壁１１が連結される第１パネル部材５１と、張力が付与される防煙シート２５によって構成される第２防煙壁と、四方をパネル上枠、防煙壁側縦枠６２、連結側縦枠６３及びパネル下枠６４に囲まれる防煙シート２５を有し、第２防煙壁が連結される第２パネル部材５２と、を備える。第１パネル部材５１と第２パネル部材５２を交差するように連結してコーナー部５０が構成される。【選択図】図６
2018138156.tif 000002
【特許請求の範囲】
【請求項１】
張力が付与される防煙シートによって構成される第１防煙壁と、
四方を枠材に囲まれる面材を有し、前記第１防煙壁が連結される第１パネル部材と、
張力が付与される防煙シートによって構成される第２防煙壁と、
四方を枠材に囲まれる面材を有し、前記第２防煙壁が連結される第２パネル部材と、
を備え、
前記第１パネル部材と前記第２パネル部材を交差するように連結してコーナー部が構成される防煙たれ壁。
【請求項２】
前記第１パネル部材と前記第２パネル部材を連結するコーナー連結部材を更に備え、
前記コーナー連結部材は、前記第１パネル部材と前記第２パネル部材がなす角度を調整可能に構成される請求項１に記載の防煙たれ壁。
【請求項３】
前記コーナー連結部材は、
前記第１パネル部材に連結され、円環状に形成される円環部を有する第１連結部と、
前記第２パネル部材に連結され、前記円環部の形状に対応する円弧部を有する第２連結部と、を有し、
前記円環部と前記円弧部の連結により、前記第１パネル部材と前記第２パネル部材が連結され、前記円環部の周面に対する前記円弧部の連結位置により前記第１パネル部材と前記第２パネル部材がなす角度が調整される請求項２に記載の防煙たれ壁。
【請求項４】
前記円環部は、その円の中心が前記第１パネル部材の厚み方向の中心よりも前記第２パネル部材側に偏芯する位置に配置される請求項３に記載の防煙たれ壁。
【発明の詳細な説明】
【技術分野】
【０００１】
本発明は、防煙シートが用いられる防煙たれ壁に関する。
【背景技術】
【０００２】
従来、防煙シートや防煙パネルが交差するようにレイアウトされたコーナー部を備える防煙たれ壁が知られている。この種の防煙たれ壁を開示するものとして例えば特許文献１や特許文献２がある。特許文献１には、防煙たれ壁のコーナー部に、不燃シートを固定する方立と天井部Ｌ型アングルを連結させる為に多角形の補強材が用いられた構造について記載されている。また、特許文献２には、Ｌ字状、Ｔ字状、十字状等に２つ以上のユニットが連接された防煙たれ壁において、各ユニットは連設部を介して接続されており、ユニットの不燃シートが横方向にテンションをかけた状態で張設される構造について記載されている。
【先行技術文献】
【特許文献】
【０００３】
【特許文献１】実登３１７３０９５号公報
【特許文献２】特開２０１５−２７６７号公報
【発明の概要】
【発明が解決しようとする課題】
【０００４】
ところで、意匠性の観点から防煙シートにシワや撓みが生じないようにするためや、設置する建物の構造にあわせるため、コーナー部を構成する防煙シートの交差する角度を設定したい場合がある。この点、特許文献１の構成では、コーナー補強金具の角度で施工角度が決まってしまうため、設置場所や状況によっては防煙シートにシワや撓みが生じたままでコーナー部が固定されてしまうことになる。
【０００５】
特許文献２では、連設部（コーナー柱）両側の防煙たれ壁のシートに張力を与えた状態で所定の角度が維持されるように、連設部が立直状態で保持されるように張力を付与する張力付与機構（ワイヤ）を配置するととともに、角度を調節する機能についても記載されている。しかしながら、コーナー部は一本の柱になっており、柱を中心として両側に防煙シートを配置することになるが、柱を立直させるためにはそれぞれの防煙シートの張力とワイヤとの張力バランスを取らなければならない。この張力バランスをとる作業も、天井に設置しながら角度調整を行う必要がある。また、防煙シートの伸縮等により、張力バランスが崩れるとコーナー部が傾いてしまうおそれもある。複数の方向での張力バランスを調整する必要があるため、施工性及び維持管理という点で改善の余地があった。
【０００６】
防煙シートに張力を付与するいわゆるテンション式の防煙たれ壁を用いる場合において、コーナー部に配置される２面の防煙シートの幅方向の長さが異なる場合、幅方向の長さが長い場合又はコーナー部の角度が鋭角、鈍角になる場合等は、張力バランスを適切に取ることが特に難しい。例えば、コーナー部の角度が鋭角の場合は引っ張られ方向にコーナー部が傾くおそれがある。この点、従来の張力付与機構は、コーナー部の形状を美観よく形成するためのものであり、テンション式の防煙シートの強い引っ張りには耐えられないおそれもあった。
【０００７】
本発明は、テンション式の防煙たれ壁においてコーナー部を構成するように配置される防煙シートにシワや撓みが生じる事態を効果的に防止できるとともに、施工性を効果的に向上させることができる構成を提供することを目的とする。
【課題を解決するための手段】
【０００８】
本発明は、張力が付与される防煙シート（例えば、後述の第１防煙壁１１の防煙シート２５）によって構成される第１防煙壁（例えば、後述の第１防煙壁１１）と、四方を枠材（例えば、後述の第１パネル部材５１のパネル上枠６１、防煙壁側縦枠６２、連結側縦枠６３及びパネル下枠６４）に囲まれる面材（例えば、後述の第１パネル部材５１のパネル防煙シート６５）を有し、前記第１防煙壁が連結される第１パネル部材（例えば、後述の第１パネル部材５１）と、張力が付与される防煙シート（例えば、後述の第２防煙壁１２の防煙シート２５）によって構成される第２防煙壁（例えば、後述の第２防煙壁１２）と、四方を枠材（例えば、後述の第２パネル部材５２のパネル上枠６１、防煙壁側縦枠６２、連結側縦枠６３及びパネル下枠６４）に囲まれる面材（例えば、後述の第２パネル部材５２のパネル防煙シート６５）を有し、前記第２防煙壁が連結される第２パネル部材（例えば、後述の第２パネル部材５２）と、を備え、前記第１パネル部材と前記第２パネル部材を交差するように連結してコーナー部（例えば、後述のコーナー部５０）が構成される防煙たれ壁（例えば、後述の防煙たれ壁１）に関する。
【０００９】
前記防煙たれ壁は、前記第１パネル部材と前記第２パネル部材を連結するコーナー連結部材（例えば、後述のコーナー連結部材８０）を更に備え、前記コーナー連結部材は、前記第１パネル部材と前記第２パネル部材がなす角度を調整可能に構成されることが好ましい。
【００１０】
前記コーナー連結部材は、前記第１パネル部材に連結され、円環状に形成される円環部（例えば、後述の円環部８２）を有する第１連結部（例えば、後述の第１連結部８１）と、前記第２パネル部材に連結され、前記円環部の形状に対応する円弧部（例えば、後述の円弧部９２）を有する第２連結部（例えば、後述の第２連結部９１）と、を有し、前記円環部と前記円弧部の連結により、前記第１パネル部材と前記第２パネル部材が連結され、前記円環部の周面に対する前記円弧部の連結位置により前記第１パネル部材と前記第２パネル部材がなす角度が調整されることが好ましい。
【００１１】
前記円環部は、その円の中心が前記第１パネル部材の厚み方向の中心よりも前記第２パネル部材側に偏芯する位置に配置されることが好ましい。
【発明の効果】
【００１２】
本発明によれば、テンション式の防煙たれ壁においてコーナー部を構成するように配置される防煙シートにシワや撓みが生じる事態を効果的に防止できるとともに、施工性を効果的に向上させることができる構成を実現できる。
【図面の簡単な説明】
【００１３】
【図１】本発明の一実施形態に係る防煙たれ壁のコーナー部を示す斜視図である。
【図２】本実施形態の防煙たれ壁の姿図である。
【図３】本実施形態の防煙たれ壁の横断面図であり、図１のＡ−Ａ線断面図である。
【図４】本実施形態の防煙たれ壁の縦断面図であり、図１のＢ−Ｂ線断面図である。
【図５】本実施形態の防煙たれ壁の縦断面図であり、図１のＣ−Ｃ線断面図である。
【図６】本実施形態の防煙たれ壁のコーナー部の拡大横断面図である。
【図７】変形例の防煙たれ壁のコーナー部の拡大横断面図である。
【図８】変形例の防煙たれ壁の第１パネル部材と第１防煙壁の連結構造の拡大横断面図である。
【発明を実施するための形態】
【００１４】
以下、本発明の好ましい実施形態について、図面を参照しながら説明する。本実施形態の防煙たれ壁は、建物内部の天井、壁又は柱の間に配置され、防煙区画を形成するものである。
【００１５】
図１は、本発明の一実施形態に係る防煙たれ壁１のコーナー部５０を示す斜視図である。図２は、本実施形態の防煙たれ壁１の姿図である。図３は、本実施形態の防煙たれ壁１の横断面図であり、図１のＡ−Ａ線断面図である。
【００１６】
図１から図３に示すように、本実施形態の防煙たれ壁１は、第１防煙壁１１と、第２防煙壁１２と、コーナー部５０と、を主要な構成として備える。
【００１７】
図３は、本実施形態の防煙たれ壁１の横断面図であり、図１のＡ−Ａ線断面図である。図３に示すように、第１防煙壁１１は、一側の端部が壁２ａ側に固定され、他側の端部がコーナー部５０に接続されている。第２防煙壁１２は、一側の端部が、第１防煙壁１１が接続される場所とは異なる場所の壁２ｂ側に固定され、他側の端部がコーナー部５０に接続されている。本実施形態では、第１防煙壁１１と第２防煙壁１２の延びる方向は直交するレイアウトになっている。また、図１の矢印は、第１防煙壁１１及び第２防煙壁１２の延びる方向を示している。
【００１８】
まず、第１防煙壁１１の構成について説明する。なお、第１防煙壁１１及び第２防煙壁１２は、共通の構成であり、第２防煙壁１２の各構成について第１防煙壁１１と共通又は同様の構成には同じ符号を付してその説明を省略する場合がある。
【００１９】
本実施形態の第１防煙壁１１は、壁２ａに固定される建物側縦枠２１と、コーナー部５０に固定されるパネル側縦枠２２と、天井５に接続されるシート上枠２３と、不燃性で可撓性を有する材料で構成される透明又は半透明の防煙シート２５と、を備える。
【００２０】
建物側縦枠２１は、壁２ａ（又は壁２ｂ）に固定される。建物側縦枠２１は、その内側に中空部を有し、該中空部に防煙シート２５の横方向の一側（図２の紙面において右側）の端部を保持するための建物側保持具３１が配置される。この建物側保持具３１により、防煙シート２５の横方向の一側の端部が把持される。
【００２１】
パネル側縦枠２２は、コーナー部５０にシート連結部材７０を介して固定される。なお、シート連結部材７０の詳細な構成については後述する。パネル側縦枠２２は、その内側に中空部を有し、該中空部に防煙シート２５の横方向の他側（図２の紙面において左側）の端部を保持する張力調整装置３２が配置される。張力調整装置３２は、防煙シート２５を横方向で巻取可能に構成されており、工具を用いて操作具（図示省略）を操作することにより、防煙シート２５の巻取量を調整できるようになっている。この巻取量に応じて防煙シート２５に付与される張力が調整される。張力調整装置３２によって付与される張力の張力方向は左右方向である。防煙シート２５が常に適切な張力で付与されることにより、シワや撓み等の発生を最小限に抑制できるとともに、下枠のない防煙シート２５が自重でたなびいたりする事態を確実に防止できる。
【００２２】
図４は、本実施形態の防煙たれ壁の縦断面図であり、図１のＢ−Ｂ線断面図である。図４では、第１防煙壁１１の縦断面が示されている。図４に示すように、シート上枠２３は、その内側に中空部を有し、該中空部に防煙シート２５の上端部を保持するための上枠保持具３３が配置される。
【００２３】
シート上枠２３は、建物側縦枠２１の側面上部とパネル側縦枠２２の側面上部の間に左右方向にわたって配置されており、上枠保持具３３はシート上枠２３の長さに対して短尺のものを一定の間隔で配置される。この上枠保持具３３により、防煙シート２５の上端部が左右方向にわたって把持される。
【００２４】
第１防煙壁１１及び第２防煙壁１２は、いずれも下枠を備えない構成のいわゆるテンション式の防煙壁である。次に、第１防煙壁１１と第２防煙壁１２を直交するように連結するコーナー部５０について説明する。図５は、本実施形態の防煙たれ壁１の縦断面図であり、図１のＣ−Ｃ線断面図である。図５では、コーナー部５０の縦断面が示されている。図６は、本実施形態の防煙たれ壁のコーナー部５０の拡大横断面図である。
【００２５】
図５及び図６に示すように、本実施形態のコーナー部５０は、第１パネル部材５１と、第２パネル部材５２と、第１防煙壁１１及び第２防煙壁１２をコーナー部５０にそれぞれ連結するシート連結部材７０と、第１パネル部材５１及び第２パネル部材５２を連結するコーナー連結部材８０と、を備える。
【００２６】
第１パネル部材５１について説明する。なお、第１パネル部材５１及び第２パネル部材５２は、共通の構成であり、第２パネル部材５２の各構成について、第１パネル部材５１と共通又は同様の構成には第１パネル部材５１と同じ符号を付してその説明を省略する場合がある。
【００２７】
第１パネル部材５１は、パネル上枠６１と、防煙壁側縦枠６２と、連結側縦枠６３と、パネル下枠６４と、パネル防煙シート６５と、を備える。
【００２８】
パネル上枠６１は、複数のビスにより天井５に固定される。パネル上枠６１は、下方に開口しており、この開口に防煙壁側縦枠６２及び連結側縦枠６３の上端部がそれぞれ差し込まれる。パネル下枠６４は、上方に開口しており、この開口に防煙壁側縦枠６２及び連結側縦枠６３の下端部が差し込まれる。防煙壁側縦枠６２及び連結側縦枠６３は、ビス６６等の締結部材により、上端部がパネル上枠６１に連結されるとともに下端部がパネル下枠６４に連結される。
【００２９】
パネル防煙シート６５は、不燃性で可撓性を有する材料で構成される透明又は半透明のシートである。パネル防煙シート６５は、パネル上枠６１、防煙壁側縦枠６２、連結側縦枠６３及びパネル下枠６４により４周を囲まれており、各枠の厚み方向を向く面に接着又は機械的に固定される。パネル防煙シート６５の横方向の張力（耐張力）は第１パネル部材５１の幅（パネル上枠６１及びパネル下枠６４の長手方向の長さ）によって調整される。
【００３０】
シート連結部材７０について説明する。シート連結部材７０は、第１パネル部材５１と第１防煙壁１１を連結固定するためのものである。本実施形態のシート連結部材７０は、平面視において第１パネル部材５１側に溝状に開口するパネル側把持部７１と、第１防煙壁１１側に溝状に開口する防煙壁側把持部７２と、を備える。
【００３１】
パネル側把持部７１は、その溝幅が第１パネル部材５１の防煙壁側縦枠６２を挟み込める大きさに形成されており、ビス６６により防煙壁側縦枠６２がパネル側把持部７１に連結される。同様に、防煙壁側把持部７２は、その溝幅が第１防煙壁１１のパネル側縦枠２２を挟み込める大きさに形成されており、ビス６６によりパネル側縦枠２２が防煙壁側把持部７２に連結される。
【００３２】
シート連結部材７０は天井５まで達しており、第１パネル部材５１と第１防煙壁１１の前後において隙間なく構成されており、防煙たれ壁１の前側の空間と後側の空間を確実に隔絶できる構造となっている。
【００３３】
コーナー連結部材８０は、第１パネル部材５１と第２パネル部材５２を交差するように連結するものであり、コーナー部５０の角に相当する部分に配置される。このコーナー連結部材８０により、第１パネル部材５１と第２パネル部材５２が直交した状態で天井５に固定される。
【００３４】
本実施形態のコーナー連結部材８０は、第１パネル部材５１に連結される第１連結部８１と、第２パネル部材５２に連結される第２連結部９１と、からなる。
【００３５】
図６に示すように、第１連結部８１は、上下方向に延びる円筒状の円環部８２と、第１パネル部材５１の連結側縦枠６３に連結される連結側把持部８３と、から構成される。連結側把持部８３は、第１パネル部材５１側に溝状に開口しており、ビス６６により連結側縦枠６３が連結側把持部８３に固定される。円環部８２は、連結側把持部８３から第１防煙壁１１の長手方向に延出する延出部８４を介して保持される。
【００３６】
第２連結部９１は、上下方向に延びる円弧部９２と、第２パネル部材５２の連結側縦枠６３に連結される連結側把持部９３と、から構成される。連結側把持部９３は、連結側把持部８３と同様の構成であり、ビス６６により第２パネル部材５２の連結側縦枠６３が連結される。円弧部９２は、その断面形状が円弧状の曲面を有する板状部材である。円弧部９２は、連結側把持部９３から第２防煙壁１２の長手方向に延出する延出部９４を介して保持される。円弧部９２の曲率は円環部８２の形状に応じて設定される。
【００３７】
第１連結部８１の円環部８２の周面に、第２連結部９１の円弧部９２を重ねた状態でビス６６を打ち抜くことにより、第１パネル部材５１と第２パネル部材５２がコーナー部５０で連結される。第１連結部８１と第２連結部９１が連結している状態では、コーナー連結部材８０は天井５まで達している。第１パネル部材５１と第２パネル部材５２の間に隙間を形成しない構造となっており、コーナー部５０において、防煙たれ壁１の前側の空間と後側の空間を確実に隔絶できる構造となっている。
【００３８】
また、第１連結部８１の円環部８２の周面に対して第２連結部９１の円弧部９２の取付位置を周方向で調整することにより、第１パネル部材５１と第２パネル部材５２がなす角度を調整可能となっている。
【００３９】
本実施形態の第１連結部８１の円環部８２は、その円の中心Ｏ１が第１パネル部材５１の厚み方向の中央を通る仮想線Ｐ１よりも第２パネル部材５２側に位置するように偏芯している。また、第２連結部９１の延出部９４は、第２パネル部材５２の厚み方向の中央を通る仮想線Ｐ２よりも第１パネル部材５１から離れた位置に位置している。これにより、第１パネル部材５１と第２パネル部材５２の端部を互いにより近付けることが可能となっている。また、設置場所によっては第１パネル部材５１と第２パネル部材５２がなす角度を鋭角にしたい場合もあるが、この構成であれば第１パネル部材５１と第２パネル部材５２が干渉しにくくなっているので、鋭角側に角度をより小さくすることが可能となっている。
【００４０】
以上説明した上記実施形態によれば、以下のような効果を奏する。
防煙たれ壁１は、張力が付与される防煙シート２５によって構成される第１防煙壁１１と、四方をパネル上枠６１、防煙壁側縦枠６２、連結側縦枠６３及びパネル下枠６４に囲まれる面材としてのパネル防煙シート６５を有し、第１防煙壁１１が連結される第１パネル部材５１と、張力が付与される防煙シート２５によって構成される第２防煙壁１２と、四方をパネル上枠６１、防煙壁側縦枠６２、連結側縦枠６３及びパネル下枠６４に囲まれる防煙シート２５を有し、第２防煙壁１２が連結される第２パネル部材５２と、を備える。第１パネル部材５１と第２パネル部材５２を交差するように連結してコーナー部５０が構成される。
【００４１】
これにより、二枚の第１パネル部材５１と第２パネル部材５２を別体とすることで、一枚ずつ位置調整しながら天井５に取り付けるときのコーナー部５０の角度を決めることができ、施工性も向上する。施工作業において第１パネル部材５１と第２パネル部材５２がなす角度を容易に調節できる。また、コーナー部５０を構成する第１パネル部材５１及び第２パネル部材５２が、何れもパネル防煙シート６５の４周を枠材で囲む構成なので、いわゆるテンション式の防煙シート２５に付与される張力に起因する反力がコーナー部５０に加わっても、その引張力に耐えることができ、コーナー部５０が傾くような事態やパネル防煙シート６５にシワや撓みが生じる事態を確実に防止できる。また、第１パネル部材５１と第２パネル部材５２を利用することで、第１防煙壁１１及び第２防煙壁１２を構成する防煙シート２５については、コーナー部５０で切断する等の分断作業を行うことなく防煙たれ壁１の施工を行うことができ、テンション式の防煙シート２５を用いた防煙たれ壁１の施工性を効果的に向上させることができる。また、美観のノイズとなるようなワイヤ等を配置する必要もなくなるので意匠性を向上させることができる。
【００４２】
また、本実施形態では、防煙たれ壁１は、第１パネル部材５１と第２パネル部材５２を連結するコーナー連結部材８０を更に備え、コーナー連結部材８０は、第１パネル部材５１と第２パネル部材５２がなす角度を調整可能に構成される。
【００４３】
これにより、コーナー連結部材８０によって任意の角度設定が可能となるので、直角、鈍角、鋭角等、防煙たれ壁１が設置される場所に応じて第１パネル部材５１と第２パネル部材５２がなす角度を調整することができ、防煙たれ壁１の仕様の自由度を高めることができる。また、第１パネル部材５１及び第２パネル部材５２は、何れも４周を枠材に囲まれており、剛性を有するのでより正確に角度を決めることができる。また、予めコーナー連結部材８０により角度調整を行った上でコーナー部５０を天井５に取り付けることもできるし、天井５に取り付けた状態で角度調整を行うこともできるので施工性の自由度も向上する。
【００４４】
また、本実施形態では、コーナー連結部材８０は、第１パネル部材５１に連結され、円環状に形成される円環部８２を有する第１連結部８１と、第２パネル部材５２に連結され、円環部８２の形状に対応する円弧部９２を有する第２連結部９１と、を有し、円環部８２と円弧部９２の連結により、第１パネル部材５１と第２パネル部材５２が連結され、円環部８２の周面に対する円弧部９２の連結位置により第１パネル部材５１と第２パネル部材５２がなす角度が調整される。
【００４５】
これにより、角度を調整する機能をシンプルな構成で実現することができる。また、円環部８２の周面に連結する円弧部９２の連結位置の角度により、第１パネル部材５１と第２パネル部材５２のなす角度を決めることができるので、所望の角度に調整する作業も容易に行うことができる。
【００４６】
また、本実施形態では、円環部８２は、その円の中心が第１パネル部材５１の厚み方向の中心よりも第２パネル部材５２側に偏芯する位置に配置される。
【００４７】
これにより、第１パネル部材５１の端部と第２パネル部材５２の端部を近づけて配置することができ、設置の自由度がより向上する。例えば、第１パネル部材５１の端部と第２パネル部材５２の端部が干渉しない範囲で、第１パネル部材５１と第２パネル部材５２のなす角度をより小さい角度（鋭角）にすることができる。
【００４８】
以上、本発明の好ましい実施形態について説明したが、本発明は、上述の実施形態に制限されるものではなく、適宜変更が可能である。
【００４９】
上記実施形態では、第１連結部８１の円環部８２が偏芯配置される構成であるが、この構成に限定されない。図７は、変形例の防煙たれ壁２０１のコーナー部２８０の拡大横断面図である。図７に示すように、第１連結部２８１の円環部２８２の中心Ｏ２が第１パネル部材５１の厚み方向の中央を通る仮想線Ｐ１上に位置し、第２連結部２９１の円弧部２９２を支持する延出部２９４が第２パネル部材５２の厚み方向の中央を通る仮想線Ｐ２上に位置する構成としてもよい。
【００５０】
上記実施形態では、シート連結部材７０を介して第１パネル部材５１と第１防煙壁１１がビス６６により連結される構成であるが、この構成に限定されない。図８は、変形例の防煙たれ壁３０１の第１パネル部材３５１と第１防煙壁３１１の連結構造の拡大横断面図である。図８に示すように、第１防煙壁３１１におけるパネル側縦枠３２２の第１パネル部材３５１側の面には、上下方向視で略Ｔ字状の係合部３５２が設けられる。そして、第１パネル部材３５１における防煙壁側縦枠３６２の第１防煙壁３１１側の面には、係合部３５２に嵌合する略Ｔ字状の溝部３５３が形成される。この変形例では、パネル側縦枠３２２の係合部３５２に防煙壁側縦枠３６２の溝部３５３がスライド嵌合することにより、第１防煙壁３１１と第１パネル部材３５１が連結固定されることになる。
【００５１】
上記実施形態では、コーナー連結部材８０が第１パネル部材５１に連結される第１連結部８１と、第２パネル部材５２に連結される第２連結部９１と、がビス６６により連結される構成であるが、この構成に限定されない。例えば、第１連結部８１と第２連結部９１の連結を係合部材（嵌合構造）によって係合する構成とすることもできる。
【００５２】
上記実施形態では、コーナー連結部材８０を介して第１パネル部材５１と第２パネル部材５２が連結される構成を説明したが、この構成に限定されない。第１パネル部材５１と第２パネル部材５２が、それぞれの枠材を介して直接的に連結される構成とすることもできる。この構成においても第１パネル部材５１と第２パネル部材５２の接続位置を調整することで、施工時に角度の調整を行うことができる。
【００５３】
上記実施形態では、直交配置されるコーナー部５０を例として説明を行ったが、本発明はこの構成に限定されない。第１パネル部材と第２パネル部材がなす角度は、９０度より大きい角度であってもよいし、９０度よりも小さい角度であってもよい。また、２枚のパネル部材に限定される訳ではなく、２枚のパネル部材が交差するようなＴ字や十字等の構成にも本発明を適用することができる。
【符号の説明】
【００５４】
１  防煙たれ壁
１１  第１防煙壁
１２  第２防煙壁
２５  防煙シート
５０  コーナー部
５１  第１パネル部材
５２  第２パネル部材
６１  パネル上枠（枠材）
６２  防煙壁側縦枠（枠材）
６３  連結側縦枠（枠材）
６４  パネル下枠（枠材）
６５  パネル防煙シート（面材）
８０  コーナー連結部材
８１  第１連結部
８２  円環部
９１  第２連結部
９２  円弧部
【図１】
2018138156.tif 000003
【図２】
2018138156.tif 000004
【図３】
2018138156.tif 000005
【図４】
2018138156.tif 000006
【図５】
2018138156.tif 000007
【図６】
2018138156.tif 000008
【図７】
2018138156.tif 000009
【図８】
2018138156.tif 000010